(57)【要約】家庭用娯楽システム１００は、冗長な機能を持たないデジタルリンク１１５，１２５，１３０により接続されるモジュール１２０，１３５，１４０を含む。ゲートウェイ１１０は、インターネット、デジタルケーブル又はサテライトネットワーク、又はデジタル地上波ネットワークからの外部信号を受ける。ゲートウェイは、ＤＶＤ／ＣＤ−ＲＷ５２０及び／又はハードドライブＨＤ５３０を含むストレージ／プレイバックモジュール１３５、デジタルアンプモジュール１４０、及びビデオディスプレイモジュール１２０に接続される。ストレージ／プレイバックモジュール１３５は、コンテンツを再生及び記録する。コピーライトプロテクトにより、ユーザは番組をＨＤに記憶するか、ＤＶＤにバックアップするか、又はＤＶＤに直接記録するのを可能にする。オーディオアンプは、オーディオ出力を提供するためにオーディオデコーダ４２０を含み、ＨＤ又はＤＶＤプレーヤからの音楽を再生するためのコントロールパネルを有する。ビデオディスプレイモジュールは、ビデオ機能のみをサポートし、ビデオデコーダ３２０のみを含む、モジュールは、ゲートウェイで条件付きアクセスコンポーネント２２０を共有する。
2007504743.tif 000002
【特許請求の範囲】
【請求項１】
オーディオデータコンポーネントとビデオデータコンポーネントを有する外部のデジタルオーディオ／ビデオ信号を受けるゲートウェイと、
ビデオディスプレイモジュールと、
オーディオアンプモジュールと、
それぞれのデジタルリンクを介してゲートウェイに接続されるストレージ／プレイバックモジュールとを有し、
前記ビデオディスプレイモジュールは、前記ビデオデータコンポーネントの表示専用であり、前記オーディオアンプモジュールは、前記オーディオデータコンポーネントの再生専用であり、前記ストレージ／プレイバックモジュールは、前記オーディオデータコンポーネントとビデオデータコンポーネントの少なくとも一方を記憶及び再生するための記憶／再生機能の専用である、
ことを特徴とする家庭用娯楽システム。
【請求項２】
前記ストレージ／プレイバックモジュールは、ＤＶＤ／ＣＤ−ＲＷ及びハードドライブの少なくとも１つを有する、
請求項１記載の家庭用娯楽システム。
【請求項３】
前記ビデオディスプレイモジュールは、それぞれのデジタルリンクを介して前記ゲートウェイにより供給される符号化されたビデオ信号を復号化するためのビデオデコーダを有する、
請求項１記載の家庭用娯楽システム。
【請求項４】
前記オーディオアンプモジュールは、それぞれのデジタルリンクを介して前記ゲートウェイにより供給される符号化されたオーディオ信号を復号化するためのオーディオデコーダを有する、
請求項１記載の家庭用娯楽システム。
【請求項５】
前記外部のデジタルオーディオ／ビデオ信号はインターネットからの信号である、
請求項１記載の家庭用娯楽システム。
【請求項６】
前記外部のデジタルオーディオ／ビデオ信号は、デジタルケーブルネットワーク、デジタル衛星ネットワーク、及びデジタル地上波ネットワークの少なくとも１つからの信号である、
請求項１記載の家庭用娯楽システム。
【請求項７】
前記オーディオアンプモジュールは、前記ゲートウェイにより前記ストレージ／プレイバックモジュールから検索されたオーディオデータを再生する、
請求項１記載の家庭用娯楽システム。
【請求項８】
前記ビデオディスプレイモジュールは、前記ゲートウェイにより前記ストレージ／プレイバックモジュールから検索されたビデオデータを再生する、
請求項１記載の家庭用娯楽システム。
【請求項９】
前記ストレージ／プレイバックモジュール及びビデオディスプレイモジュールは、オーディオ復号化の機能を有さない、
請求項１記載の家庭用娯楽システム。
【請求項１０】
前記オーディオアンプモジュールは、ビデオ復号化の機能を有さない、
請求項１記載の家庭用娯楽システム。
【請求項１１】
前記ゲートウェイは、それぞれ異なるネットワークからデジタル信号を受けるための複数のデジタルチューナを有する、
請求項１記載の家庭用娯楽システム。
【請求項１２】
前記オーディオデータコンポーネント及び前記ビデオデータコンポーネントがスクランブルされており、
前記ゲートウェイは、スクランブルされたオーディオ及びビデオデータコンポーネントをデスクランブルし、デスクランブルされたオーディオ及びビデオデータコンポーネントを提供する条件付きアクセスコンポーネントを有する、
請求項１記載の家庭用娯楽システム。
【請求項１３】
前記条件付きアクセスモジュールは、それぞれのデジタルリンクを介してデスクランブルされた符号化されたオーディオ及びビデオデータコンポーネントを受けるため、前記ビデオディスプレイモジュール、オーディオアンプモジュール、及びストレージ／プレイバックモジュールによりアクセスされる、
請求項１２記載の家庭用娯楽システム。
【請求項１４】
前記ゲートウェイは、条件付きアクセスコンポーネントを有し、
前記オーディオ及びビデオデータコンポーネントはスクランブルされており、
前記ゲートウェイは、前記ストレージ／プレイバックモジュールでの記憶のため、スクランブルされたオーディオ及びビデオデータコンポーネントを提供し、
前記ビデオディスプレイモジュールの要求に応じて、前記ゲートウェイは、前記ストレージ／プレイバックモジュールからスクランブルされたビデオデータコンポーネントを検索し、条件付きアクセスコンポーネントで前記スクランブルされたビデオデータコンポーネントをデスクランブルし、復号化及び表示の脅威のため、デスクランブルされたビデオデータコンポーネントを前記ビデオディスプレイモジュールに提供する、
請求項１記載の家庭用娯楽システム。
【請求項１５】
前記ゲートウェイは、条件付きアクセスコンポーネントを有し、
前記オーディオ及びビデオデータコンポーネントはスクランブルされており、
前記ゲートウェイは、前記ストレージ／プレイバックモジュールでの記憶のため、スクランブルされたオーディオ及びビデオデータコンポーネントを提供し、
前記オーディオアンプモジュールの要求に応じて、前記ゲートウェイは、前記ストレージ／プレイバックモジュールから前記スクランブルされたオーディオデータコンポーネントを検索し、前記条件付きアクセスコンポーネントで前記スクランブルされたオーディオデータをデスクランブルし、復号化及び再生の脅威のため、デスクランブルされたオーディオデータコンポーネントを前記オーディオアンプモジュールに提供する、
請求項１記載の家庭用娯楽システム。
【請求項１６】
前記ストレージ／プレイバックモジュールは、データストレージの脅威を制御するためのコピープロテクト機能をサポートする、
請求項１記載の家庭用娯楽システム。
【請求項１７】
家庭用娯楽システムにおけるモジュールであって、
当該モジュールは、
外部ソースからのデジタルオーディオ／ビデオ信号を受ける、家庭用娯楽システムにおけるゲートウェイからのデジタルオーディオ／ビデオ信号の符号化されたオーディオデータコンポーネントと符号化されたビデオデータコンポーネントの少なくとも一方を受信する手段と、
前記受信する手段を前記ゲートウェイにリンクする少なくとも１つのデジタルリンクと、
符号化されたビデオデータコンポーネントの復号化及び表示、符号化されたオーディオデータコンポーネントの復号化及び再生、及び、前記符号化されたオーディオデータコンポーネントと前記符号化されたビデオデータコンポーネントの少なくとも一方を記憶及び再生するストレージ／プレイバック機能の実行のうちの１つの専用とされる手段と、
を有することを特徴とするモジュール。
【請求項１８】
家庭用娯楽システムを提供する方法であって、
符号化されたオーディオデータコンポーネントと符号化されたビデオデータコンポーネントとを有する外部のデジタルオーディオ／ビデオ信号をゲートウェイで受信するステップと、
少なくとも前記符号化されたビデオデータコンポーネントを復号化及び表示のためにそれぞれのデジタルリンクを介して専用のビデオディスプレイモジュールに伝達するステップと、
少なくとも前記符号化されたオーディオデータコンポーネントを復号化及び再生のためにそれぞれのデジタルリンクを介して専用のオーディオアンプモジュールに伝達するステップと、
前記符号化されたオーディオデータコンポーネントと前記符号化されたビデオデータコンポーネントの少なくとも一方を、ストレージ／プレイバック機能を実行するためにそれぞれのデジタルリンクを介して専用のストレージ／プレイバックモジュールに伝達するステップと、
を含むことを特徴とする方法。
【発明の詳細な説明】
【技術分野】
【０００１】
本発明は、家庭用娯楽システム全般に関する。
【背景技術】
【０００２】
今日、多くの異なるタイプの家庭用娯楽製品を入手可能である。これらの製品は、テレビジョンの周りに集約され、オーディオ、ビデオ、並びにおそらくデジタル及びアナログリンク用の各種コネクタを有する。コネクタは、ドルビーＡＣ３，５．１（５つのスピーカと１つのサブウーファによるドルビーデジタルサラウンドサウンド）のようなオーディオコネクタ、及びＳＣＡＲＴケーブルのようなビデオコネクタを含む場合がある。さらに、異なる製品の中で大量の冗長な機能が存在する。たとえば、セットトップボックス（ＳＴＢ）、フリー・トゥ・ビュー（ＦＴＶ）ボックス、若しくはリライタブルＤＶＤ（ＤＶＤ−ＲＷ）及びオーディオアンプのようなゲートウェイでＡＣ３復号化機能について必要がない。同様に、ＤＶＤプレーヤのようなストレージ／プレイバックプロダクトは、オーディオ及びビデオでコーディングを実行するために、各種の特化された集積回路及びソフトウェアを有する。しかし、テレビジョンアンプ及びセットトップボックスは、オーディオデコーダをも有している。別の例では、セットトップボックス及びテレビジョンの組み合わせを考慮する。それぞれの装置は、チューナ、及びたとえばジャックといったおそらく多数のオーディオ出力を有する。これらの冗長度は、ユーザが製品をセットアップして使用するための余分の製造コスト及び増加された複雑さとなる。
【発明の開示】
【課題を解決するための手段】
【０００３】
本発明は、先の問題及び他の問題に対処するものである。
本発明の特定の態様によれば、家庭用娯楽システムは、オーディオ及びビデオデータコンポーネントを有する外部のデジタルオーディオ／ビデオ信号を受けるためのゲートウェイ、ビデオディスプレイモジュール、オーディオアンプモジュール、及びそれぞれのデジタルリンクを介してゲートウェイに接続されるストレージ／プレイバックモジュールを含んでいる。ビデオディスプレイモジュールは、ビデオデータコンポーネントを表示する専用とされ、オーディオアンプモジュールは、オーディオデータコンポーネントを再生する専用とされ、ストレージ／プレイバックモジュールは、少なくとも１つのオーディオ及びビデオデータコンポーネントを記憶及び再生するためのストレージ／プレイバック機能の専用とされる。このようにして、冗長なコンポーネントが回避され、コストが低減される。さらに、条件付きアクセスのコンポーネントのようなゲートウェイでのリソースは、モジュールにより共有とされる。
【０００４】
家庭用娯楽システムにおける対応するモジュール、及び家庭用娯楽システムを提供する方法も提供される。
【発明を実施するための最良の形態】
【０００５】
図面において、同じ符号が付されたエレメントは、互いに一致する。
図１は、本発明に係る家庭用娯楽システムのブロック図を例示している。家庭用娯楽システム１００は、特定の機能を実行するのに専用とされる多数のモジュール又はスタンドアロンコンポーネントを含んでいる。ゲートウェイ１１０は、インターネットからのような外部信号、若しくは、アンテナ、ケーブル又はサテライトディッシュからの他のブロードキャスト信号を受けるために接続される。たとえば、ゲートウェイ１１０は、デジタルケーブルネットワーク、サテライトネットワーク、デジタル地上波ネットワーク、及び／又はインターネットからの外部のオーディオ／ビデオ信号を受けるためのセットトップボックスを含む場合がある。オーディオ／ビデオ信号は、データパケットのようなオーディオ及びビデオデータ部分又はコンポーネントを含む。ゲートウェイ１１０は、それぞれのデジタルリンク１１５を介してビデオディスプレイモジュール１２０に接続され、それぞれのデジタルリンク１３０を介してデジタルオーディオアンプモジュール１４０に接続され、それぞれのデジタルリンク１２５を介して、たとえば少なくともＤＶＤ／ＣＤ−ＲＷ又はハードドライブ（ＨＤ）を含み、ドルビー５．１のようなマルチチャネルサラウンドサウンド機能を提供するストレージ／プレイバックモジュール１３５に接続される。ストレージ／プレイバックモジュール１３５は、デジタルリンクを介してオーディオアンプモジュール１４０に直接に接続される場合がある。ゲートウェイ１１０は、ゲートウェイ１１０が任意のオーディオデコーダを含む場合にスピーカ１５０に結合される場合がある。
【０００６】
図２は、本発明に係るゲートウェイを例示している。ゲートウェイ１１０は、サテライト、ケーブル及び地上波ネットワークのそれぞれからのような、異なるオーディオ／ビデオストリームを受けるための異なるチューナ２１０，２１２及び２１４を含んでいる。また、ゲートウェイ１１０は、たとえばＴＣＰ／ＩＰプロトコルを介して、インターネットデータを受けるための電話リンクのようなネットワークインターフェース２１６を有する場合がある。インターネットデータは、サテライト、ケーブル及び地上波信号のいずれかに埋め込まれる。１以上の条件付きアクセス（ＣＡ）コンポーネント２２０は、スクランブルされたときに、受けたオーディオ／ビデオデータをデスクランブルするために使用される。メモリ２３２をもつコントロール２３０は、スクランブル又はデスクランブルされたオーディオ／ビデオデータ又はインターネットデータの処理及び流れを制御する。ゲートウェイ１１０は、ＩＥＥＥ１３９４規格に従って供給されるようなデジタルインタフェース２４０を介して他のモジュールと通信する。任意のオーディオデコーダ２５０は、オーディオ信号をスピーカに供給する。一般に、ゲートウェイ１１０は、様々なアプリケーションを提供する場合が在る。チューナ２１０，２１２及び２１４は、たとえばＤＶＢ−Digital  Video  Broadcasting、ＡＴＳＣ−Advanced  Television  Systems  Committee、又はOpenCableフォーマットといった各種のフォーマットで供給される信号を処理する場合がある。チューナ２１０，２１３及び２１４、並びに条件付きアクセス（ＣＡ）コンポーネント２２０により、ゲートウェイ１１０は、システム制御及びオーディオ／ビデオ（Ａ／Ｖ）入力信号の捕捉、Ａ／Ｖデコーディングなしでデジタルリンクを通して他のモジュールへのＡ／Ｖストリームの転送が可能となる。
【０００７】
特に、記載されたように、ゲートウェイ１１０により受信された外部のオーディオ／ビデオ信号は、スクランブル及び符号化されたオーディオ／ビデオデータを含む場合がある。たとえば、オーディオ／ビデオデータは、信頼することのできる、帯域幅効率の高い通信を提供するためにＭＰＥＧ−２のようなスキームに従って符号化される場合がある。動き補償及び予測のような各種の符号化技術が使用され、ピクチャを表すために必要とされるビデオデータの量を低減する。同様に、ドルビーＡＣ３のようなオーディオ符号化技術は、知覚されるサウンド品質を最適化しつつ、低いデータレートの使用を可能にする知覚符号化を使用する、しかし、かかる技術は、プロセッサに処理が集中し、したがってかなりの量の復号化能力をもつデコーダを必要とする。符号化されたオーディオ／ビデオ信号は、許可された加入者のみがデータにアクセスすることができるのを補償するための暗号化のような条件付きアクセス技術を使用してスクランブルされる。条件付きアクセスコンポーネント２２０には、ユーザが提供するスマートカードを読むスマートカードリーダ２３５を介するような、様々なやり方でデータにアクセスするための適切な情報が提供される場合がある。
【０００８】
ゲートウェイ１１０は、スクランブル又はデスクランブルされたフォーマットのいずれかで、オーディオ／ビデオデータを他のモジュール１２０，１３５及び１４０に通過させる場合がある。たとえば、デスクランブルされたビデオ及びオーディオデータは、ユーザが受信されたオーディオ／ビデオストリームから直接的にテレビジョンプログラムを再生することが要求された場合に、ビデオディスプレイモジュール１２０及びオーディオアンプモジュール１４０のそれぞれに通過される場合がある。または、ゲートウェイ１１０は、ストレージの脅威（storage  thereat）のために、スクランブルされたオーディオ／ビデオデータをストレージ／プレイバックモジュール１３５に通過させる場合がある。記憶されたデータは、次いで、スクランブルされたオーディオ／ビデオデータを取得するために、ゲートウェイ１１０を介してストレージ／プレイバックモジュール１３５に要求を送出する事で、ビデオディスプレイモジュール１２０及びオーディオアンプモジュール１４０により後にアクセスすることができる。次いで、ゲートウェイ１１０は、条件付きアクセスコンポーネント２２０を使用してデータをデスクランブルし、デスクランブルされたデータをビデオディスプレイモジュール１２０及び／又はオーディオアンプモジュール１４０に供給する。いずれのケースでも、デスクランブル及び符号化されたビデオデータは、表示の脅威（display  thereat）のためにビデオディスプレイモジュール１２０でデコードされ、デスクランブル及び符号化オーディオデータは、再生の脅威（reproduction  thereat）のためにオーディオアンプモジュール１４０でデコードされる。ゲートウェイ１１０、及びモジュール１２０，１３５及び１４０には、本明細書で記載された機能性を達成するための適切なコンポーネントが提供される。ゲートウェイ１１０では、コンポーネントは、コントロール２３０、メモリ２３２、及びメモリ２３２に記憶され、所望の機能を達成するためにコントロール２３０により実行されるソフトウェアを含む場合がある。
【０００９】
図３は、本発明に係るビデオディスプレイモジュールを例示している。ビデオディスプレイモジュール１２０は、ビデオ機能をサポートし、それぞれのデジタルリンク１１５を介してゲートウェイ１１０により供給されるデスクランブルされた、符号化されたビデオ信号を復号するためにビデオデコーダ３２０を含む。ビデオディスプレイモジュール１２０は、デジタルインタフェース３００を介してゲートウェイと通信し、所望の機能を達成するためのソフトウェアを実行ためにメモリ３１２をもつコントロール３１０を含んでいる。ビデオデコーダ３２０は、異なるフォーマットでビデオデータを復号化するための機能を有する場合がある。フラットパネルディスプレイのようなディスプレイ３３０は、ビデオ出力をユーザに提供する。
【００１０】
図４は、本発明に係るオーディオアンプモジュールを例示している。デジタルオーディオアンプ１４０は、スピーカ１５０に接続するような、全ての必要なタイプのオーディオ出力を供給し、ストレージ／プレイバックモジュール１３５からの音楽をユーザが再生するのを可能にする制御パネルを有する場合がある。ＡＣ３／ステレオデコーダのようなオーディオデコーダ４２０は、それぞれのデジタルリンク１３０を介してゲートウェイ１１０により供給されるデスクランブルされた、符号化されたオーディオ信号を復号化するために含まれる場合がある。オーディオデコーダ４２０は、異なるフォーマットでオーディオデータを復号化するための機能を有する場合がある。任意に、オーディオデコーダ２５０は、ゲートウェイ１１０に供給され、復号化されたオーディオ信号は、ゲートウェイ１１０からスピーカ１５０に直接供給される。このアプローチは、デジタルオーディオアンプが使用されない場合に使用される場合がある。スピーカ１５０（図１）は、音を再生するためにデジタルオーディオアンプ１４０に接続される。オーディオアンプモジュール１２０は、デジタルインタフェース４００を介してゲートウェイ１１０と通信し、オーディオ増幅を含む所望の機能を達成するためにソフトウェアを実行するためにメモリ４１２をもつコントロール４１０を含む。
【００１１】
図５は、本発明に係るストレージ／プレイバックモジュールを例示している。ストレージ／プレイバックモジュール１３５は、デジタルインタフェース５００を介してゲートウェイ１１０と通信し、データ記憶及び再生を含む所望の機能を達成するためにソフトウェアを実行するためにメモリ５１２をもつコントロール５１０を含んでいる。ストレージ／プレイバックモジュール１３５は、コンテンツを再生及び記録し、異なるフォーマットでオーディオ及びビデオデータを記憶及び再生する機能を有し、光又は磁気記憶媒体からデータを読み出し、光又は磁気記憶媒体へのデータの書込みのための適切な光又は磁気ヘッドを含む、ＤＶＤ−ＲＷストレージ／プレーヤ５２０及びＨＤストレージ／プレーヤ５３０を含んでいる。ストレージ／プレイバックモジュール１３５は、ハードディスク（ＨＤ）にプログラムをユーザが記憶するか、ＤＶＤにバックアップするか、又はＤＶＤに直接記憶するのを可能にする、著作権保護機能を提供する場合もある。
【００１２】
ストレージ／プレイバックモジュール１３５及びビデオディスプレイ１２０は、オーディオでコーディングのようなオーディオ機能を有さない。同様に、オーディオアンプモジュール１４０は、ビデオデコーディング機能を有さず、ビデオディスプレイモジュール１２０は、オーディオデコーディングのようなオーディオ機能を有する必要がない。しかし、ストレージ／プレイバックモジュール１３５は、ビデオディスプレイモジュール１２０が記憶されたビデオデータにアクセスするのを可能にするため、オーディオアンプモジュール１４０が記憶されたオーディオデータにアクセスするのを可能にするため、デジタルリンク１２５からのコンテンツ及びデジタルコンテンツ１２５へのコンテンツを記録／再生することができる。たとえば、ビデオディスプレイモジュール１２０及び／又はオーディオアンプモジュール１４０は、ゲートウェイ１１０を介して、記憶されたビデオ及びオーディオデータのそれぞれにアクセスする要求を送出する。ゲートウェイ１１０は、記憶されたビデオ及びオーディオデータを検索し、ビデオディスプレイモジュール１２０及び／又はオーディオアンプモジュール１４０のそれぞれに供給する。デスクランブリングは、必要とされる場合に、条件付きアクセスコンポーネント２２０により実行される。
【００１３】
有利なことに、冗長な機能を有さない専用モジュール１２０，１３５及び１４０をもつホームエンターテイメントネットワーク１００は、必要でないデコーダを除くことで製品当たりのコストを低減する。さらに、モジュール１２０，１３５及び１４０をゲートウェイ１１０に接続するデジタルリンクの使用は、装置の背面でのケーブル数を制限し、これによりインスタレーションプロセスをなくし、すっきりしたインスタレーションを提供する。たとえば、デジタルリンクは、ＩＥＥＥ１３９４規格に基づいて提供される場合がある。これにより、モジュール１２０，１３５及び１４０は、ゲートウェイ１１０によりタップ接続することができ、ビデオディスプレイモジュール１２０、オーディオアンプモジュール１４０及びストレージ／プレイバックモジュール１３５により使用されるＡ／Ｖストリームを共有することができる。別のケースでは、ストレージ／プレイバックモジュール１３５は、ディスプレイ１２０が別のＴＶ番組を表示している間、ゲートウェイ１１０からＴＶ番組を記録することができる。デジタルリンクの使用により提供されるフレキシビリティにより、新たなモジュールを提供し、モジュール間で機能を共有することで、ホームシネマシステム１００を容易に拡張することができる。さらに、異なるデジタルリンクは、望まれる場合に異なる規格を使用して提供される場合がある。
【００１４】
不必要に費用を増加する、ハードウェア及びソフトウェアをホームエンターテイメントシステムにおけるそれぞれのコンポーネントに追加する代わりに、本発明のモジュールは、デジタルリンクで固定されるブリックと考えることができる。それぞれのブリック又はモジュールは、１つのタイプの機能／サービスの専用とされ、必要とされるハードウェア及びソフトウェアのみを埋め込む。ホームエンターテイメントシステムのアーキテクチャは、ＰＣマザーボードのようなものであって、全てのリソースは、デジタルリンク（ＰＣバス）の周りに接続され、専用とされる。したがって、テレビジョンは、ビデオのみの機能、おそらく制限されたオーディオでディスプレイにより置き換えられる。セットトップボックス又はゲートウェイはチューナのみを含み、ＤＶＤプレーヤはプレーヤ等のみを含む。かかるシステムによれば、進歩した、高性能システムを提供しつつ、供給される多くのリソースをボックス当たりで有することができる。
【００１５】
別の利点は、著作権保護を含むことであり、これはたとえばＤＶＤへのバーニング（書き込み）のような、デコードすることなしで記録及び再生することのできないフォーマットでデジタルリンクにデータが提供される場合があるためである。たとえば、ストレージ
／プレイバックモジュール１３５でのＤＶＤは、ビデオディスプレイモジュール１２０により直接再生することのできないスクランブルされたＭＰＥＧ−２トランスポートストリームを記録する。記録を再生するため、ストリームは、ゲートウェイ１１０での条件付きアクセスコンポーネント２２０を通る必要がある。これは、本発明のフルデジタルホームシネマにより提供される種類のフレキシビリティであり、たとえば、条件付きアクセスコンポーネント２２０は、システムの全てのモジュールにより共有されるリソースとなる。本発明のホームエンターテイメントシステムは、Home  Audio  Video  InteroperabilityすなわちＨＡＶｉ規格のようなデジタルホームエンターテイメントプロダクトをネットワーク化するオープン仕様で使用される場合がある。他の規格は、望まれる場合に使用される場合がある。
【００１６】
本発明の好適な実施の形態と考えられるものを図示及び記載してきたが、勿論、本発明の精神から逸脱することなしに、様々な変更及び変化が形式又は詳細に容易になされることを理解されるであろう。したがって、本発明は、記載及び例示される正確な形式に制限されず、特許請求の範囲で含まれる全ての変更をカバーすることが解釈されるべきである。
【図面の簡単な説明】
【００１７】
【図１】本発明に係る家庭用娯楽システムのブロック図である。
【図２】本発明に係るゲートウェイを例示する図である。
【図３】本発明に係るビデオディスプレイモジュールを例示する図である。
【図４】本発明に係るオーディオアンプモジュールを例示する図である。
【図５】本発明に係るストレージ／プレイバックモジュールを例示する図である。
【図１】
2007504743.tif 000003
【図２】
2007504743.tif 000004
【図３】
2007504743.tif 000005
【図４】
2007504743.tif 000006
【図５】
2007504743.tif 000007
【国際調査報告】
2007504743.tif 000008
2007504743.tif 000009
2007504743.tif 000010